(57)【要約】【課題】電気部品に係る部材が被覆板の開口部の中央部に容易に位置決めされるとともに、被覆板の筐体に対する位置調整が可能であり、部材の被覆板及び筐体への取り付け構造が外側から視認されないことと相まって外観品位が良好である電気機器、該電気機器を備える表示装置、該表示装置を備えるテレビジョン受信機を提供する。【解決手段】ＴＶ受信機は、フロントキャビネット３と、底面６１に操作ボタンが設けられたボタンケース６と、操作ボタンが露出する挿通孔が設けられ、底面６１を覆う操作板部５とを備える。操作板部５は、前記挿通孔の底面６１側の周縁部に突起部５４を有する。ボタンケース６は前記突起部５４が挿通される挿通孔６４を有する。ボタンケース６の開口側の縁部には、フロントキャビネット３に設けた係止部３２，３３が係止される。【選択図】図９
2015019017.tif 000002
【特許請求の範囲】
【請求項１】
電気部品と、
該電気部品を覆う筐体と、
底面を有し、該底面に前記電気部品に係る部材が設けられ、開口側の縁部が前記筐体に設けた第１係止部に係止される筒体と、
前記部材が露出する開口部が設けられ、前記底面を覆う被覆板と
を備える電気機器において、
前記被覆板は、前記開口部の前記底面側の周縁部に一又は複数の第２係止部を有し、
前記底面に前記第２係止部が係止される被係止部を有し、
前記第１係止部は、前記底面に垂直に前記筒体が移動するのを抑止するように構成されていることを特徴とする電気機器。
【請求項２】
前記第１係止部は、立面視が鉤槍状をなし、柄部が前記筒体の側面に沿い、鉤部が前記開口側の縁部に係止するように構成され、
前記第２係止部は棒状をなし、
前記被係止部は前記第２係止部を嵌合する孔部であることを特徴とする請求項１に記載の電気機器。
【請求項３】
前記筒体は角筒であり、
前記部材は前記底面から外側に突出しており、
前記筒体の内側にスイッチを備え、
前記部材の押圧によりスイッチがオンされるように構成されていることを特徴とする請求項１又は２に記載の電気機器。
【請求項４】
請求項１から３までのいずれか一項に記載の電気機器と、
画像を表示する表示部と
を備え、
前記筐体は前記表示部の正面の周縁端部及び側面を覆うように構成されていることを特徴とする表示装置。
【請求項５】
請求項４に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、電気部品と、電気部品を覆う筐体と、底面を有し、底面に操作スイッチ部等の操作部の部材、又は電源表示部，リモコン受光部，周辺光検出部等の光透過部の部材が設けられた筒体と、前記部材が露出する開口部が設けられ、前記底面を覆う被覆板とを備える電気機器、該電気機器を備える表示装置、該表示装置を備えるテレビジョン受信機に関する。
【背景技術】
【０００２】
近年、液晶表示装置等の表示装置の性能、品位が向上し、外観的にも薄型化、軽量化、狭額縁化が進行している。液晶表示装置は、テレビジョン受信機（以下、ＴＶ受信機という）の映像表示装置として幅広く用いられている。
【０００３】
上述のＴＶ受信機は、液晶表示パネル及びバックライトユニットを有し、横長の直方体状であり、縦置きにされた表示モジュールと、表示モジュールの正面端縁部及び側面を覆うフロントキャビネットと、表示モジュールの背面を覆うリアキャビネットとを備える。
ＴＶ受信機はさらに、スイッチ等の操作部、電源表示部，リモコン受光部，周辺光検出部等の光透過部を備える。
【０００４】
操作部が例えば電源スイッチ等の操作ボタンを備える操作ボタン部である場合、操作ボタン部は、ボタンケース（筒体）を備え、ボタンケースの底面の外側に操作ボタン（部材）が突設されている。フロントキャビネット（筐体）には、該フロントキャビネットの背面からボタンケースを挿通するケース挿通孔が設けられている。そして、ＴＶ受信機はケース挿通孔及びボタンケースの底面を覆うカバー（被覆板）を備え、該カバーに操作ボタンを挿通させる挿通孔が設けられている。
【０００５】
図１８は、従来のＴＶ受信機の操作ボタン部の取付け構造を示す一部断面側面図である。
操作ボタン部１６は、ボタンケース１６０と、ボタンケース１６０の底面の外側に設けられた操作ボタン１６１と、ボタンケースの上側側面に設けられた固定部１６２と、固定部１６２の表側に設けられた挿通孔１６３と、ボタンケース１６０の下側側面に設けられたビス止め部１６４とを備える。操作ボタン１６１は横長の長方形の底面を有する角筒状をなす。
フロントキャビネット１３は、ボタンケース１６０を挿通するケース挿通孔１３１と、ケース挿通孔１３１の裏側かつ上側の周縁部に設けられた突起部１３２と、固定部１６２の裏面に係止される鉤状の係止部１３３と、ケース挿通孔１３１の裏側かつ下側の周縁部に設けられたビス用ボス１３４とを備える。
ケース挿通孔１３１及びボタンケース１６０を覆うカバー１５は、操作ボタン１６１を挿通する挿通孔１５１を有する。
【０００６】
上記のＴＶ受信機の場合、ケース挿通孔１３１にボタンケース１６０を挿通した状態で、挿通孔１６３にフロントキャビネット１３の突起部１３２を挿通し、係止部１３３を固定部１６２に係止することで、ケース挿通孔１３１にボタンケース１６０が位置決めされる。そして、ビス止め部１６４にビスを挿通し、ビス用ボス１３４にビス止めすることにより固定状態が保持される。
次いで、操作ボタン１６１が挿通孔１５１から突出する状態で、カバー１５をフロントキャビネット１３に取り付ける。
【０００７】
この従来のＴＶ受信機においては、カバー１５のフロントキャビネット１３への取付精度が不十分であり、操作ボタン１６１を挿通孔１５１の中央部に位置決めするのが困難であり、中心位置がずれて外観品位が悪くなるという問題があった。なお、操作ボタン部１６のフロントキャビネット１３への位置決め及び固定構造は裏側に有するので、これらの構造が表側から視認されることに起因して外観品位が悪くなるということはない。
【０００８】
図１９は、従来の他のＴＶ受信機の操作ボタン部の取付け構造を示す一部断面側面図である。
操作ボタン部１６は、ボタンケース１６０と、ボタンケース１６０の底面の外側に設けられた操作ボタン１６１と、ボタンケース１６０の下側側面に設けられたビス止め部１６４と、ボタンケース１６０の底面の上側に設けられた挿通孔１６５とを備える。操作ボタン１６１は横長の長方形の底面を有する角筒状をなす。
フロントキャビネット２７はカバーと一体化されており、操作ボタン１６１を挿通する挿通孔２７１と、挿通孔２７１の上側かつ裏側の周縁部に設けられた突起部２７２と、突起部２７２の上側で後方に突出し、ボタンケース１６０の裏側の開口縁部に係止される鉤状の係止部２７３と、挿通孔２７１の裏側かつ下側の周縁部に設けられたビス用ボス２７４とを備える。
【０００９】
上記のＴＶ受信機の場合、操作ボタン部１６の挿通孔１６５にフロントキャビネット２７の突起部２７２を挿通し、係止部２７３をボタンケース１６０の開口縁部に係止することで、操作ボタン１６１のｘ，ｙ，ｚ方向の位置が決まり、挿通孔２７１の中央部に操作ボタン１６１が位置決めされ得る。
しかし、フロントキャビネット２７の操作ボタン部１６の位置決め及び固定構造は複雑であり、金型に傾斜コア等の部材を要し、ヒケが生じやすく、かつこれらの構造は映りやすいため、外観不良が生じるという問題があった。
【００１０】
特許文献１には、操作ボタン部の操作ボタンをパネルの挿入孔に、操作ボタンがパネルの面方向へ移動可能な状態で挿入し、挿入孔の空隙に、枠状のカバー部及び脚状の係止片を有するカバー部材の該係止片を挿入して、空隙をカバー部で覆うとともに、係止片の操作ボタン側への進入を調整して、操作ボタン部に設けたいずれかの突起に係止するように構成された電子機器装置の発明が開示されている。この電子機器装置によれば、パネル及び操作ボタン部の成形上、取付け上のばらつきに起因して操作ボタン部とパネルとの取付け位置が本来の位置から前後上下左右方向にずれた場合でも、確実に取付けることができ、挿入孔の空隙がカバー部材で覆われ得る。
【００１１】
しかし、特許文献１の電子機器装置においては、操作ボタンをパネルの挿入孔に挿入した後の、カバー部材による操作ボタンの位置調整及び取り付けの作業が煩雑であり、カバー部がパネル表面から突出しているので、外観品位が悪くなるという問題があった。係止片により操作ボタンの前後方向の調整は確実に行うことができるが、操作ボタンの左右方向の微妙な調整は困難であり、挿入孔に対する操作ボタンの左右方向のずれをカバー部で覆い隠すことになる。
【先行技術文献】
【特許文献】
【００１２】
【特許文献１】特開２００４−２８１８７６号公報
【発明の概要】
【発明が解決しようとする課題】
【００１３】
以上のように、従来のＴＶ受信機等の電気機器においては、操作ボタン部の操作ボタン等の部材を被覆板の挿通孔（開口部）の中央部に位置決めするのが困難である、又は部材の固定構造が視認されることにより、外観品位が悪くなるという問題があった。
また、被覆板の開口部から部材が露出する状態で筒体が取り付けられた被覆板を筐体に対して、その面方向に位置調整するのが困難であるという問題があった。
【００１４】
本発明は斯かる事情に鑑みてなされたものであり、筒体の被覆板の面方向に対する移動が抑止され、電気部品に係る部材が被覆板の開口部の中央部に容易に位置決めされるとともに、筒体の筐体の面方向に垂直な方向の移動が抑止されつつ、被覆板の筐体に対する位置調整が可能であり、部材の被覆板及び筐体への取り付け構造が外側から視認されないことと相まって外観品位が良好であり、筒体及び被覆板を形成するための金型も簡単である電気機器、該電気機器を備える表示装置、該表示装置を備えるテレビジョン受信機を提供することを目的とする。
【課題を解決するための手段】
【００１５】
本発明に係る電気機器は、電気部品と、該電気部品を覆う筐体と、底面を有し、該底面に前記電気部品に係る部材が設けられ、開口側の縁部が前記筐体に設けた第１係止部に係止される筒体と、前記部材が露出する開口部が設けられ、前記底面を覆う被覆板とを備える電気機器において、前記被覆板は、前記開口部の前記底面側の周縁部に一又は複数の第２係止部を有し、前記底面に前記第２係止部が係止される被係止部を有し、前記第１係止部は、前記底面に垂直に前記筒体が移動するのを抑止するように構成されていることを特徴とする。
【００１６】
本発明に係る電気機器は、前記第１係止部は、立面視が鉤槍状をなし、柄部が前記筒体の側面に沿い、鉤部が前記開口側の縁部に係止するように構成され、前記第２係止部は棒状をなし、前記被係止部は前記第２係止部を嵌合する孔部であることを特徴とする。
【００１７】
本発明に係る電気機器は、前記筒体は角筒であり、前記部材は前記底面から外側に突出しており、前記筒体の内側にスイッチを備え、前記部材の押圧によりスイッチがオンされるように構成されていることを特徴とする。
【００１８】
本発明に係る表示装置は、前述のいずれかの電気機器と、画像を表示する表示部とを備え、前記筐体は前記表示部の正面の周縁端部及び側面を覆うように構成されていることを特徴とする。
【００１９】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【発明の効果】
【００２０】
本発明によれば、被覆板の第２係止部を筒体の被係止部に係止することにより、筒体の被覆板の面方向に対する移動が抑止され、部材が開口部の中央部に容易に位置決めされる。そして、筒体は筐体の第１係止部により筐体の面方向に垂直な方向の移動が抑止される。このとき、被覆板を筐体の面方向に移動させることは可能であるので、被覆板の筐体に対する面方向の位置を容易に調整することができる。
そして、筒体及び被覆板を形成するための金型が簡単になり、傾斜コアも不要になり、製造時間が短縮化され、製造コストが低減する。
部材の被覆板及び筐体への取り付け構造は外側から視認されず、被覆板の開口部に対し部材を中央部に配置することができ、被覆板の筐体に対する位置調整を適切に行い得るので、電気機器の外観品位は良好である。
【図面の簡単な説明】
【００２１】
【図１】本発明の実施の形態１に係るＴＶ受信機を示す正面図である。
【図２】ＴＶ受信機の側面図である。
【図３】ＴＶ受信機を裏側から見た状態を示す斜視図である。
【図４】フロントキャビネットの背面斜視図である。
【図５】図４の一部拡大斜視図でボタンケースを取り付ける前の状態を示す図である。
【図６】図４の一部拡大斜視図である。
【図７】フロントキャビネットの背面図である。
【図８】図７のVIII−VIII線断面図である。
【図９】図７のIX−IX線断面図である。
【図１０】ボタンケースを示す斜視図である。
【図１１】ボタンケースを示す側面図である。
【図１２】ボタンケースを示す裏面図である。
【図１３】操作板部を示す斜視図である。
【図１４】操作板部を裏側から見た状態を示す斜視図である。
【図１５】操作板部の裏側を上にした状態を示す側面図である。
【図１６】本発明の実施の形態２に係るＴＶ受信機を示す正面図である。
【図１７】ＴＶ受信機の挿通孔が設けられている部分を示す一部断面側面図である。
【図１８】従来のＴＶ受信機の操作ボタン部の取付け構造を示す一部断面側面図である。
【図１９】従来の他のＴＶ受信機の操作ボタン部の取付け構造を示す一部断面側面図である。
【発明を実施するための形態】
【００２２】
以下、本発明をその実施の形態を示す図面に基づいて具体的に説明する。
実施の形態１．
図１は本発明の実施の形態１に係るＴＶ受信機１を示す正面図、図２はＴＶ受信機１の側面図、図３はＴＶ受信機１を裏側から見た状態を示す斜視図、図４はフロントキャビネット３の背面斜視図、図５は図４の一部拡大斜視図でボタンケース６を取り付ける前の状態を示す図、図６は図４の一部拡大斜視図、図７はフロントキャビネット３の背面図、図８は図７のVIII−VIII線断面図、図９は図７のIX−IX線断面図である。
ＴＶ受信機１は、表示パネル２１及びバックライトユニット（不図示）を有し、横長の直方体状であり、縦置きにされた表示モジュール２と、表示モジュール２の正面端縁部及び側面を覆うフロントキャビネット３と、表示モジュール２の背面を覆うリアキャビネット４と、アンテナ（不図示）から放送波を受信するチューナ（受信部）１０と、符号化された放送波を復号するデコーダ１１と、録画再生部１２とを備える。
【００２３】
表示モジュール２のバックライトユニットは矩形箱状をなすシャーシに、矩形板状をなす導光板、光学シート、及びＬＥＤ基板を収納してなる。ＬＥＤ基板は、細長い矩形板状をなす基板の平面に、複数のＬＥＤを実装してなる。導光板がシャーシの底板に載置され、ＬＥＤ基板が導光板の上側の長側面側に配されている。シャーシの底板の外面には、上述のチューナ１０及びデコーダ１１等を実装したメイン基板が設けられており、メイン基板はカバーで覆われている。導光板に光学シートが載置され、光学シートに表示パネル２１が載置されて表示モジュール２が構成される。
【００２４】
フロントキャビネット３は例えばアルミニウム製であり、横長の矩形枠状をなす。フロントキャビネット３の下端部には、高さが前側に向かって漸次的に低くなり、側面視がテーパ状をなす支持部３０が設けられている。フロントキャビネット３の下部には長手方向に亘って後ろ側に凹んだ取付凹部３７が設けられ、図１に示すように、該取付凹部３７に一端部から順に、表示板部７、ディスク挿入蓋部８、トレイ開／閉ボタン６２（以下、操作ボタンという）を挿通孔５２から挿通した操作板部５が取り付けられている。表示板部７には、電源表示部、リモコン受光部、周辺光検出部等の部材が設けられている。表示板部７、ディスク挿入蓋部８、及び操作板部５の下側においては、表示モジュール２の長手方向に亘って延びるカバー９がフロントキャビネット３に嵌められている。
【００２５】
図１〜図３に示すように、録画再生部１２はＴＶ受信機１の中央部に備えられており、ＤＶＤ，ブルーレイ（登録商標）ディスク等のディスクを回転駆動するためのスピンドルモータ、ディスクに対し光ビームを照射してデータの記録及び再生を行う光ピックアップ、並びに光ピックアップを読出位置に対応させて移動させるためのフィードモータ等を備えるディスクローダ（不図示）を収容した筐体１２１がリアキャビネット４の背面から突出する状態で設けられている。筐体１２１は高さが後ろ側に向かって漸次的に低くなり、側面視がテーパ状をなしている。
【００２６】
ＴＶ受信機１は支持部３０及び録画再生部１２により、表示モジュール２が背面側に傾いた状態で、スタンドを用いることなく、床面、机面、及び家具上等に載置することができるように構成されている。
【００２７】
図５に示すように、フロントキャビネット３の取付凹部３７には、矩形状をなすケース挿通孔３１が設けられている。取付凹部３７の背面側で、ケース挿通孔３１の周縁部の上側長辺に対応する部分には係止部３２，３２が設けられ、下側長辺に対応する部分には係止部３３，３３が設けられている。係止部３２，３３は立面視が鉤槍状をなす。また、取付凹部３７には長手方向に亘って、後述する操作板部５の係止部５３が係止する、板状の被係止部３８が複数立設されている。被係止部３８に隣接して、係止部５３を挿通する挿通孔３９が設けられている。
【００２８】
図１０はボタンケース６を示す斜視図、図１１はボタンケース６を示す側面図、図１２はボタンケース６を示す裏面図である。
ボタンケース６は合成樹脂製であり、横長の長方形状の底面６１を有する角筒状（箱状）をなす。
ボタンケース６の底面６１の中央部には板遊嵌孔６７が設けられ、板遊嵌孔６７に支持板６３が遊嵌されている。支持板６３は、長方形状をなす本体６３１と、本体６３１の一長辺に所定間隔を隔てて設けられた吊り下げ部６３２，６３２とからなる。吊り下げ部６３２，６３２はボタンケース６の側面６５に連設されている。
【００２９】
支持板６３の本体６３１に上述の操作ボタン６２が設けられている。操作ボタン６２は金属製であり、操作板部５の挿通孔５２より少し小さい長円の底面を有する角筒状をなす。本体６３１は操作ボタン６２の底面より少し大きい。
操作ボタン６２を押圧することにより、支持板６３は板遊嵌孔６７内を揺動するように構成されている。
【００３０】
底面６１の、板遊嵌孔６７の周縁部で本体６３１の外側に対応する部分には、丸孔状の挿通孔６４，６４が設けられている。
図１２に示すように、一方の挿通孔６４の上下にはリブ６６，６６が設けられている。
【００３１】
ボタンケース６の内側に、ディスク挿入蓋部８が開き、録画再生部１２のディスクトレイが前側に進出するためのスイッチ１２２が配されており（図２参照）、操作ボタン６２が押圧されることにより、スイッチ１２２がオンされる。
ボタンケース６とスイッチ１２２とを含み、スイッチ操作部が構成される。
【００３２】
図６に示すように、ケース挿通孔３１にボタンケース６が挿通されて、ボタンケース６の開口縁部が係止部３２，３３に係止され、ボタンケース６の正背（前後）方向の移動が抑止される。
【００３３】
図１３は操作板部５を示す斜視図、図１４は操作板部５を裏側から見た状態を示す斜視図、図１５は操作板部５の裏側を上にした状態を示す側面図である。
操作板部５は合成樹脂製であり、長板状をなす本体５１と、本体５１の長手方向の一端部に設けられ、平面視が長円状をなす挿通孔５２と、本体５１の二長辺に沿って設けられ、前記取付凹部３７の複数の被係止部３８に係止される複数の係止部５３とを備える。係止部５３は立面視が鉤槍状をなし、鉤部が被係止部３８に係止される。
【００３４】
本体５１の裏面の、挿通孔５２の長手方向両端部側の周縁部には、該裏面に垂直に、丸棒状をなす突起部５４，５４が設けられている。突起部５４，５４は挿通孔５２の短手方向に平行に延び、角棒状をなす支持部５５，５５の長手方向中央部に設けられている。
【００３５】
以上のように構成されたボタンケース６は、操作ボタン６２が挿通孔５２から突出し、挿通孔６４，６４に突起部５４，５４が嵌合された状態で、操作板部５に取り付けられる。
挿通孔６４に突起部５４が嵌合されるので、操作ボタン６２が挿通孔５２の中央部に位置するように位置決めされる。ボタンケース６は操作板部５の面方向に対する移動が拘束されるが、操作板部５の面に垂直な方向には操作板部５とともに移動可能である。
【００３６】
図８及び図９に示すように、上述のボタンケース６を取り付けた操作板部５を、ケース挿通孔３１からボタンケース６を裏側に突出させた状態で取付凹部３７に嵌め、ボタンケース６の開口縁部に係止部３２，３２、及び係止部３３，３３を係止する。前記開口縁部に係止部３２及び３３を係止することにより、ボタンケース６の底面６１の面方向に垂直な方向の移動が抑止される。係止部３２及び３３は鉤槍状をなし、前記面方向に垂直な方向にボタンケース６が移動するのを抑止しつつ、ボタンケース６を取り付けた操作板部５をケース挿通孔３１の間隙の範囲内で面方向に移動させることが可能であり、係止部３２及び３３の傾斜及び弾性変形によりずれを吸収して、フレキシブルに操作板部５、ひいては操作ボタン６２の位置を調整することができる。
そして、操作板部５の複数の係止部５３を取付凹部３７の挿通孔３９に挿通して、被係止部３８に係止し、操作板部５を取付凹部３７に固定する。
【００３７】
操作ボタン６２が挿通孔５２の中央部に配置されているので、操作ボタン６２のオン／オフによるディスク挿通蓋部８の開閉、これに連動する録画再生部１２のディスクトレイの進出が確実に行われる。
【００３８】
本実施の形態においては、フロントキャビネット３、操作板部５、及びボタンケース６を形成するための金型が簡単になり、傾斜コアも不要になる。
そして、ボタンケース６の操作板部５及びフロントキャビネット３への取り付け構造は外側から視認されず、上述したように、操作板部５の挿通孔５２に対し操作ボタン６２を中央部に配置することができ、操作板部５のフロントキャビネット３に対する位置調整を適切に行い得るので、ＴＶ受信機１の外観品位は良好である。
なお、フロントキャビネット３にボタンケース６を取り付けた後、操作ボタン６２が挿通孔５２から突出する状態で、挿通孔６４，６４に突起部５４，５４を嵌合し、操作板部５をボタンケース６に取り付けることにしてもよい。この場合も、操作板部５の挿通孔５２に対し操作ボタン６２を中央部に配置することができ、操作板部５のフロントキャビネット３に対する位置調整を適切に行い得る。
【００３９】
実施の形態２．
本発明の実施の形態２に係るＴＶ受信機８１は、表示板部７の構造が異なること以外は、実施の形態１に係るＴＶ受信機１と同様の構成を有する。
図１６は本発明の実施の形態２に係るＴＶ受信機８１を示す正面図である。図中、図１と同一部分は同一符号を付して詳細な説明を省略する。
ＴＶ受信機８１の表示板部７には、電源表示部等の表示部２２ａ，２３ａ，２４ａ、リモコン受光部２５ａ、周辺光検出部２６ａを露出させる挿通孔７１，７２，７３，７４，７５が設けられている。
【００４０】
図１７は、ＴＶ受信機８１の挿通孔７１が設けられている部分を示す一部断面側面図である。
表示部２２ａはＬＥＤランプからなり、ランプケース２２の底面の外側に突設されている。ランプケース２２の底面の表示部２２ａの上側には、角孔である挿通孔２２ｂが設けられている。
表示板部７の挿通孔７１の外周縁部には角棒状をなす突起部７６が設けられている。
【００４１】
フロントキャビネット３の取付凹部３７にはケース挿通孔３４が設けられ、ケース挿通孔３４の上側の周縁部には鉤状をなす係止部３５が、下側の周縁部には鉤状をなす係止部３６が設けられている。
【００４２】
ランプケース２２は、表示部２２ａが挿通孔７１から突出し、挿通孔２２ｂに突起部７６が嵌合された状態で、表示板部７に取り付けられる。
挿通孔２２ｂに突起部７６が嵌合されるので、表示部２２ａが挿通孔７１の中央部に位置するように位置決めされる。ランプケース２２は表示板部７の面方向の移動が拘束されるが、表示板部７の面方向に垂直な方向には表示板部７とともに移動可能である。
【００４３】
ランプケース２２を取り付けた表示板部７を、ケース挿通孔３４からランプケース２２を裏側に突出させた状態で取付凹部３７に嵌め、ランプケース２２の開口縁部に係止部３５，３６を係止する。前記開口縁部に係止部３５，３６を係止することにより、ランプケース２２の底面の面方向に垂直な方向の移動が抑止される。
係止部３５，３６は鉤状をなし、前記垂直な方向にランプケース２２が移動するのを抑止しつつ、ランプケース２２を取り付けた表示板部７をケース挿通孔３４の間隙の範囲内で面方向に移動させることが可能であり、係止部３５，３６の傾斜及び弾性変形によりずれを吸収して、フレキシブルに表示板部７、ひいては表示部２２ａの位置を調整することができる。
そして、表示板部７の複数の係止部を取付凹部３７の被係止部に係止して、表示板部７を取付凹部３７に固定する。
【００４４】
他の表示部２３ａ，２４ａ、リモコン受光部２５ａ、周辺光検出部２６ａ等の部材の挿通孔７２，７３，７４，７５に対する位置決め、及びこれらの部材のフロントキャビネット３に対する取り付けも、表示部２２ａの位置決め、及びフロントキャビネット３への取り付けと同様にして行われる。
本実施の形態においては、ランプケース２２等の、表示板部７及びフロントキャビネット３への取り付け構造は外側から視認されず、上述したように、表示板部７の挿通孔７１等に対し表示部２２ａ等を中央部に配置することができ、表示板部７のフロントキャビネット３に対する位置調整を適切に行い得るので、ＴＶ受信機８１の外観品位は良好である。
【００４５】
以上のように、本発明に係る電気機器（１，１２）は、電気部品（１２２）と、該電気部品を覆う筐体（３）と、底面（６１）を有し、該底面に前記電気部品に係る部材（６２，２２ａ，２３ａ，２４ａ，２５ａ，２６ａ）が設けられ、開口側の縁部が前記筐体に設けた第１係止部（３２，３３，３５，３６）に係止される筒体（６，２２）と、前記部材が露出する開口部（５２，７１）が設けられ、前記底面を覆う被覆板（５，７）とを備える電気機器において、前記被覆板は、前記開口部の前記底面側の周縁部に一又は複数の第２係止部（５４，７６）を有し、前記底面に前記第２係止部が係止される被係止部（６４，２２ｂ）を有し、前記第１係止部は、前記底面に垂直に前記筒体が移動するのを抑止するように構成されていることを特徴とする。
【００４６】
本発明においては、被覆板の第２係止部を筒体の被係止部に係止することにより、筒体の被覆板の面方向の移動が抑止され、部材が開口部の中央部に位置決めされる。そして、筒体は筐体の第１係止部により底面に垂直な方向の移動が抑止される。このとき、被覆板を筐体の面方向に移動させることは可能であるので、被覆板の筐体に対する面方向の位置を調整することができる。
そして、筒体及び被覆板を形成するための金型も簡単になり、傾斜コアも不要になる。
部材の被覆板及び筐体への取り付け構造は外側から視認されず、被覆板の開口部に対し部材を中央部に配置することができ、被覆板の筐体に対する位置調整を適切に行い得るので、電気機器の外観品位は良好である。
【００４７】
本発明に係る電気機器は、前記第１係止部は、立面視が鉤槍状をなし、柄部が前記筒体の側面（６５）に沿い、鉤部が前記開口側の縁部に係止するように構成され、前記第２係止部は棒状をなし、前記被係止部は前記第２係止部を嵌合する孔部であることを特徴とする。
【００４８】
本発明においては、簡単な構成で第２係止部を被係止部へ確実に係止することができる。
また、鉤槍状の第１係止部によれば、前記底面に垂直に筒体が移動するのを抑止しつつ、筒体を取り付けた被覆板を面方向に移動させることが可能であり、第１係止部の傾斜及び弾性変形により、フレキシブルに被覆板の位置を調整することができる。
【００４９】
本発明に係る電気機器は、前記筒体（６）は角筒であり、前記部材（６２）は前記底面から外側に突出しており、前記筒体の内側にスイッチ（１２２）を備え、前記部材の押圧によりスイッチがオンされるように構成されていることを特徴とする。
【００５０】
本発明においては、スイッチをオン／オフするための部材を被覆板の開口部の中央部に位置決めすることができ、外観品位が良好であるとともに、スイッチ操作を確実に行うことができる。
【００５１】
本発明に係る表示装置（１）は、前述のいずれかの電気機器と、画像を表示する表示部（２）とを備え、前記筐体は前記表示部の正面の周縁端部及び側面を覆うように構成されていることを特徴とする。
【００５２】
本発明においては、スイッチ操作部等の操作部の部材、又は電源表示部，リモコン受光部，周辺光検出部等の光透過部の部材等の部材が正面の被覆板の開口部から露出する表示装置において、部材を開口部の中央部に位置決めするとともに、被覆板の位置を調整することができる。
【００５３】
本発明に係るＴＶ受信機（１）は、前述の表示装置と、テレビジョン放送を受信する受信部とを備え、前記受信部にて受信したテレビジョン放送に基づいて、前記表示装置に映像を表示するようにしてあることを特徴とする。
【００５４】
本発明においては、高性能化及び高品位化が要求されるＴＶ受信機において、外観品位を良好にすることができる。
【００５５】
今回開示された実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【００５６】
例えば、前記実施の形態１及び２においては、操作ボタン６２又は表示部２２ａが挿通孔５２又は７１から突出している場合につき説明しているがこれに限定されるものではなく、電気部品に係る部材は、被覆板の開口部から露出するものであればよく、被覆板の裏面から凹んだ状態で筒体の底面に設けられているものであってもよい。
【００５７】
また、第２係止部及び被係止部の個数及び形状は前記実施の形態１及び２において説明した場合に限定されるものではない。例えば被係止部は平面視が十字状をなす挿通孔であり、第２係止部がこれに対応する十字状の係止部であってもよい。
そして、電気部品に係る部材が開口部から露出される被覆板は電気機器の正面に配される場合に限定されるものではなく、電気機器の側面又は背面に配されるものであってもよい。
【００５８】
さらに、前記実施の形態１及び２においては、本発明の電気機器を録画再生部１２又はＴＶ受信機１，８１として適用した場合につき説明しているがこれに限定されるものではなく、本発明は、他の電気機器に適用することが可能である。
【符号の説明】
【００５９】
１、８１  ＴＶ受信機
２  表示モジュール
２１  表示パネル
３  フロントキャビネット
３１  ケース挿通孔
３２、３３、３５、３６  係止部
３７  取付凹部
３８  被係止部
４  リアキャビネット
５  操作板部
５１  本体
５２  挿通孔
５４  突起部
６  ボタンケース
６１  底面
６２  操作ボタン
６３  支持板
６４  挿通孔
７  表示板部
７１、７２、７３、７４、７５  挿通孔
７６  突起部
１２  録画再生部
１２２  スイッチ
２２  ランプケース
２２ａ、２３ａ、２４ａ  表示部
２５ａ  リモコン受光部
２６ａ  周辺光検出部
【図１】
2015019017.tif 000003
【図２】
2015019017.tif 000004
【図３】
2015019017.tif 000005
【図４】
2015019017.tif 000006
【図５】
2015019017.tif 000007
【図６】
2015019017.tif 000008
【図７】
2015019017.tif 000009
【図８】
2015019017.tif 000010
【図９】
2015019017.tif 000011
【図１０】
2015019017.tif 000012
【図１１】
2015019017.tif 000013
【図１２】
2015019017.tif 000014
【図１３】
2015019017.tif 000015
【図１４】
2015019017.tif 000016
【図１５】
2015019017.tif 000017
【図１６】
2015019017.tif 000018
【図１７】
2015019017.tif 000019
【図１８】
2015019017.tif 000020
【図１９】
2015019017.tif 000021
【手続補正書】
【提出日】平成26年11月20日(2014.11.20)
【手続補正１】
【補正対象書類名】明細書
【補正対象項目名】００１５
【補正方法】変更
【補正の内容】
【００１５】
本発明に係る電気機器は、電気部品と、該電気部品を覆う筐体と、底面を有し、該底面に前記電気部品に係る部材が設けられ、開口側の縁部が前記筐体に設けた第１係止部に係止される筒体と、前記部材が露出する開口部が設けられ、前記底面を覆う被覆板とを備える電気機器において、前記被覆板は、前記開口部の前記底面側の周縁部に一又は複数の棒状をなす第２係止部を有し、前記底面に前記第２係止部を嵌合する孔部からなる被係止部を有し、前記第１係止部は、立面視が鉤槍状をなし、柄部が前記筒体の側面に沿い、鉤部が前記開口側の縁部に係止し、前記底面に垂直な方向に前記筒体が移動するのを抑止するように構成され、前記筒体を取り付けた前記被覆板が前記筐体の面方向に移動可能に構成されていることを特徴とする。
【手続補正２】
【補正対象書類名】明細書
【補正対象項目名】００１６
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
電気部品と、
該電気部品を覆う筐体と、
底面を有し、該底面に前記電気部品に係る部材が設けられ、開口側の縁部が前記筐体に設けた第１係止部に係止される筒体と、
前記部材が露出する開口部が設けられ、前記底面を覆う被覆板と
を備える電気機器において、
前記被覆板は、前記開口部の前記底面側の周縁部に一又は複数の棒状をなす第２係止部を有し、
前記底面に前記第２係止部を嵌合する孔部からなる被係止部を有し、
前記第１係止部は、立面視が鉤槍状をなし、柄部が前記筒体の側面に沿い、鉤部が前記開口側の縁部に係止し、前記底面に垂直な方向に前記筒体が移動するのを抑止するように構成され、
前記筒体を取り付けた前記被覆板が前記筐体の面方向に移動可能に構成されていることを特徴とする電気機器。
【請求項２】
前記筒体は角筒であり、
前記部材は前記底面から外側に突出しており、
前記筒体の内側にスイッチを備え、
前記部材の押圧によりスイッチがオンされるように構成されていることを特徴とする請求項１に記載の電気機器。
【請求項３】
請求項１又は２に記載の電気機器と、
画像を表示する表示部と
を備え、
前記筐体は前記表示部の正面の周縁端部及び側面を覆うように構成されていることを特徴とする表示装置。
【請求項４】
請求項３に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。